(57)【要約】      （修正有）【課題】一切の計算を必要とせず、その場で簡単に適正なブラジャーの基準サイズを求められるようにした測定メジャーの提供。【解決手段】一般的なメジャー同様の目盛りと所定のアンダーバストサイズ毎の区分を表記したメジャー本体１と、所定のカップサイズ毎の区分を表記したカップスケール２の２点により構成され、これを組み合わせることによって、一切の計算を必要とせずに、適性の基準となるブラジャーのサイズを求める。【選択図】図１
0003116577.tif 000002
【実用新案登録請求の範囲】
【請求項１】
ＪＩＳ規格で定められている所定のアンダーバストサイズ毎の区分を表記したメジャー本体と、ＪＩＳ規格で定められている所定のカップサイズ毎の区分を表記したカップスケールの２点により構成され、これを組み合わせることによって、一切の計算を必要とせずに、適性の基準となるブラジャーのサイズを求められることを特徴とするブラジャーサイズ測定用メジャー。
【請求項２】
前記カップスケールにおいて、メジャー本体上を移動および適宜の位置で静止できるよう加工した、請求項１に記載のメジャー。
【請求項３】
前記のメジャー本体において、カップスケールが抜けたり分離しないよう、一端（右端など）の形状を設計した請求項２に記載のメジャー。
【考案の詳細な説明】
【技術分野】
【０００１】  本発明は、売場および自宅等において自分自身もしくは第三者が、適切なサイズのブラジャーを選ぶ際の目安となることを目的とするブラジャーサイズ測定用メジャーに関するものである。
【背景技術】
【０００２】  ブラジャーのサイズはアンダーバスト周径採寸値（計測値）と、トップバスト周径採寸値からアンダーバスト採寸値を引いたカップサイズ値によって設定されていることは周知のとおりである。このため、アンダーバスト周径とトップバスト周径のそれぞれをメジャーにて採寸するという作業と、トップバスト周径採寸値からアンダーバスト周径採寸値を引き算するという計算により、適性の基準となるブラジャーのサイズを選定するという方法が一般的である。【０００３】  しかしながら、アンダーバストとトップバストの２回の採寸値を記憶または記録しておく必要があり、その採寸値を忘れてしまったり間違って記憶あるいは記録した場合や、トップバスト周径採寸値からアンダーバスト周径採寸値を引き算を間違い、再度、採寸し直すという手間が起こることが知られていた。【０００４】  そこで、特許公開平８−２４６２１８号公報にて示されたブラジャーカップサイズ目盛りと目盛り読取り器とを具備するメジャーや、特許公開２００３−１１９６０９号公報にて示された所定間隔毎に目盛りが記されたメジャー本体と、該メジャー本体の長手方向に移動自在で、かつ、任意の位置にて係止維持自在な一対の目盛り指示具とを備えたメジャーが知られている。【０００５】  特許公開平８−２４６２１８号公報にて示されたものは、ブラジャーカップサイズ目盛りと目盛り読取り器を具備するメジャーである。全長１５０ｃｍのメジャー部の左端より３０ｃｍのところにアンダーバスト周径採寸の基準点となる０ｃｍを設け、この基準点から右側１２０ｃｍでアンダーバスト周径を採寸、その採寸値の位置に目盛り読取り器を移動させ、次にその目盛り読取り器の位置から逆方向（左方向）へ向かってトップバスト周径を採寸し、基準点より左側に記されたカップサイズ目盛りにて、カップサイズを求めるというものである。【０００６】  一方、特許公開２００３−１１９６０９号公報にて示されたものは、メジャー本体と係止維持自在な一対の目盛り指示具により構成されている。メジャー本体には、アンダーバストサイズを示す５ｃｍ毎の色分け部が所定の位置に配置されている。また、ブラジャーのカップサイズを示すためのカップサイズ用目盛りも記されている。そのカップサイズ目盛りの表示の仕方は、Ａ〜Ｆカップそれぞれに対応した６列のバーグラフによるものであり、その６列のバーグラフはその長さがそれぞれのカップサイズエリアの示すものである。【０００７】  使用方法は、まず、メジャー本体にてアンダーバスト周径値を採寸し、メジャー本体に係止した一対の目盛り指示具の０目盛りに近い側の目盛り指示具をアンダーバスト周径値に合わせる。同様にトップバスト周径値を採寸し、０目盛りに遠い側の目盛り指示具をトップバスト周径値に合わせる。次にトップバスト周径値からアンダーバスト周径値の引き算を行いカップサイズを求めたり、カップサイズ目盛りを参照する、あるいはメジャー本体に記されたカップサイズ用目盛りの０目盛りにアンダーバストの採寸値を示す目盛り指示具を合わせた後、トップバストの採寸値を示す目盛り指示具が、カップサイズ用目盛りのどのカップサイズエリアに位置するかを目視する。【０００８】  このようにして得られたア���ダーバストサイズ値とカップサイズ値により、適性の基準となるブラジャーのサイズを求める、というものであった。【０００９】
【特許文献１】    特許公開平８−２４６２１８号公報
【００１０】
【特許文献２】    特許公開２００３−１１９６０９号公報
【考案の開示】
【考案が解決しようとする課題】
【００１１】  特許公開平８−２４６２１８号公報において示された従来技術では、通常は左端に設定される基準点０ｃｍが左から３０ｃｍの位置に設定されているため、使用時に戸惑うことがあった。【００１２】  さらにアンダーバスト周径採寸時とトップバスト周径採寸時とでは、採寸方向が逆となるため、この点においても使用方法を難解なものとしていた。【００１３】  また、目盛り読取り器がメジャーから抜け落ちたりし、使用に際して使い勝手の悪さを感じることがあった。【００１４】  一方、特許公開２００３−１１９６０９号公報において示された従来技術では、メジャー本体にブラジャーのカップサイズを示すためのカップサイズ用目盛りも記されているため、アンダーバスト周径値あるいはトップバスト周径値を採寸する際、その複数の目盛りに戸惑うことがあった。【００１５】  そのカップサイズ目盛り（部）においても、Ａ〜Ｆカップそれぞれに対応した６列のバーグラフが隣り合わせに表示されているため、一対の目盛り指示具によってカップサイズを求める際、間違ったバーグラフを読み取るということがあった。【００１６】  また、カップサイズをトップバスト周径の採寸値からアンダーバスト採寸値を引き算するため、ブラジャーのサイズ選定において直接的に関係しないトップバスト周径の採寸値を目盛り指示具の一方において記憶維持させる必要があった。【００１７】  さらに、先に記したような引き算を行わず、メジャー本体に表示されたカップサイズ用目盛りに目盛り指示具を宛うという方法を用いた場合は、トップバストとアンダーバスト採寸後、一度、被採寸者から離れ、テーブルなどの平らな台の上で、目盛り指示具を宛うという手間と時間のロスが発生した。【００１８】  本考案はこのような点を鑑みて発案されたものであり、その目的は、特有のサイズ選定方法を知らないブラジャーを初めて着用するような女児においても、計算を必要とせず、その場で簡単に適正なブラジャーの基準サイズを求めることのできるメジャーをを提供することである。
【課題を解決するための手段】
【００１９】  上述の目的を達成する本考案のブラジャーサイズ測定用メジャーは、ＪＩＳ規格で定められている所定のアンダーバストサイズ毎の区分を表記したメジャー本体と、ＪＩＳ規格で定められている所定のカップサイズ毎の区分を表記したカップスケールの２点により構成され、これを組み合わせることによって、一切の計算を必要とせずに、適性の基準となるブラジャーのサイズを求められることを特徴とする。【００２０】  請求項１の構成によれば、メジャー本体上にＪＩＳ規格で定められている所定のアンダーバストサイズ毎の区分が表記されているため、メジャー本体によるアンダーバスト周径実測値によりブラジャー選定用のアンダーバストサイズを選定でき、かつ、実測値の位置にカップスケールの所定の位置（左端など）を合わせた上で、トップバスト周径を採寸した結果がカップスケール上のどのカップサイズ区分に入るかにより、適切なカップサイズを選定することができる。つまり、簡単な２回の採寸により、計算を必要とせず、また、測定値を別のスケールに宛うことなく、適性の基準となるブラジャーのサイズを求められる。【００２１】  請求項２の構成は、請求項１の構成において、カップスケールがメジャー本体上を移動および適宜の位置で静止できる仕様とすることを特徴とする。【００２２】  請求項２の構成によれば、カップスケールがメジャー本体上を移動および適宜の位置で静止できる仕様とすることで、採寸作業の効率化と正確さを高め、さらにメジャー本体ならびにカップスケールの２点が一体化することで使い勝手が向上する。【００２３】  請求項３の構成は、請求項２の構成において、メジャー本体の一端（右端など）を任意の形状とすることで、採寸時にカップスケールがメジャー本体から抜けるなど分離することを防ぐことを特徴とする。【００２４】  請求項３の構成によれば、採寸時にカップスケールがメジャー本体から抜けるなど分離することがないため、採寸がスピーディに、また取扱いをが簡便となる。このことは使用後の収納時においても同様である。
【考案の効果】
【００２５】  以上の説明のように、本考案によれば特有のサイズ選定方法を知らないブラジャーを初めて着用するような女児においても、計算を必要とせず、たった２回の採寸だけで、その場で簡単に適正な基準サイズを求めることが可能となる。また、従来の技術ではトップバスト周径採寸後の作業（計算を行う、カップサイズ用目盛りに宛う）のために、目盛り指示具にてトップバスト周径採寸値を記憶維持させなければならなかったが、本考案によれば、トップバスト周径採寸値がそのまま適正なカップサイズを示すため、その後の一切の作業を必要としない。つまり、トップバスト周径採寸値の記憶維持をはじめ、その後の計算やカップサイズ用目盛りに宛うという作業を必要としないため、正に簡単な２回の採寸のみで適正なブラジャーの基準サイズが求められ、作業性の効率化と正確さを提供できる。
【考案を実施するための最良の形態】
【００２６】  以下、本考案の実施の形態を図面に基づき詳細に説明する。【００２７】  図１は本考案によるブラジャーサイズ測定用メジャーの形態を示すものである。なお、図１では、請求項２で記したメジャー本体上を移動および適宜の位置で静止できるよう加工したカップスケールおよび、請求項３で記したカップスケールが抜けたり分離しないよう、メジャー本体の一端（右端など）の形状を設計したものの記載である。図示の都合上、メジャー本体は、中間部分を省略している。【００２８】  メジャー本体１のサイズは、幅（高さ）は１〜１．５ｃｍ程度、長さはＪＩＳ規格サイズを選定を前提とし、８２．５ｃｍ以上の適切な長さで構わないが、一般的には１００ｃｍ程度のものが使い勝手が良い。また、カップスケール２のサイズは、幅（高さ）はメジャー本体１のそれより大きく、長さはＪＩＳ規格サイズを選定を前提とし、２２．５ｃｍ以上の適切な長さで構わないが、一般的には幅（高さ）２．５ｃｍ、長さ２２．５ｃｍ程度のものが使い勝手が良い。【００２９】  メジャー本体１およびカップスケール２の材質は、グラスファイバーやビニール等の樹脂系の素材や布・紙に樹脂剤によって表面加工を施したもの、または紙やＰＥＴ等とするが、いずれもメジャーとしての使用目的を前提に、柔軟性や厚み、伸縮性を考慮し決定する。【００３０】  図２に示すように、メジャー本体には４のような１ｍｍ、５ｍｍ、１０ｍｍ毎のそれぞれを示す目盛りと５ｃｍ間隔を基本として、該当数値が記されている。また５７．５ｃｍの位置からは５ｃｍ間隔（５−Ａ〜５−Ｅ）で、ＪＩＳ規格で定められている所定のアンダーバストサイズ毎の区分５が８２．５ｃｍの位置まで設けられている。さらに、例えば５−Ａのように５７．５〜６２．５ｃｍの区分内には、その区分のアンダーサイズを指す６０の数字が大きく記されている。（以下、５−Ｂ、５−Ｃ、５−Ｄ、５−Ｆについても同様。）このアンダーサイズ毎の区分は、一般的にはメジャー本体上に施された色や模様によって構成される。【００３１】  図３に示すように、カップスケールにはＪＩＳ規格に基づき、左端がら１０ｃｍまでの区分内（６−Ａ）をＡカップ、左端から１２．５ｃｍまでの区分内（６−Ｂ）をＢカップ、左端から１５ｃｍまでの区分内（６−Ｃ）をＣカップ、左端から１７．５ｃｍまでの区分内（６−Ｄ）をＤカップ、左端から２０ｃｍまでの区分内（６−Ｅ）をＥカップ、左端から２２．５ｃｍまでの区分内（６−Ｆ）をＦカップというようにカップサイズ毎の区分６が表記されている。この表記のしかたは、実際には図３のように隣り合うカップの差を範囲で示す方がわかりやすい。また、カップスケールは左端を基準点とするため、「ココにアンダーサイズを合わせてね。」という注意書が記されている。【００３２】  さらに、カップスケールには、スリット７が設けられている。このスリット７は、請求項２を実現するための一つの方法としてものであり、この限りではない。また、メジャー本体とカップスケールを一体化させない場合は特に必要としない。【００３３】  図４は、図１に記したメジャー本体とカップスケールの一体化を示す構成の上面図であり、図１の３段目の部分に対応している。【００３４】  図５および図６は、実際の探寸作業を示すものである。【００３５】  図５の８に示すように、まず、メジャー本体によりアンダーバスト周径を実測、アンダーバストサイズを選定する「６０（５−Ａ）」〜「８０（５−Ｅ）」のどの範囲に採寸値が入るかを確認する。この場合の、実測採寸値は６６．５ｃｍを指し、ブラジャーサイズ選定のためのアンダーバストサイズは「６５」を示している。【００３６】  次に、カップスケールの左端をメジャー本体の実測採寸値に合わせ、メジャー本体とカップスケールがズレないようにを手で軽く重ね持った上でトップバスト周径を実測、図６の９が示すように、カップサイズを選定する「Ａ（６−Ａ）」〜「Ｆ（６−Ｆ）」のどの範囲に採寸値が入るかを確認する。この場合の、カップスケールの表示値は「Ｂ」を指しているから、ブラジャーサイズ選定のためのカップサイズは「Ｂ」ということになる。なお、メジャー本体とカップスケールがズレないようにする方法としてシールやテープで仮り止めしてもよい。【００３７】  このように、本考案によるブラジャーサイズ測定用メジャーを利用すれば、一切の計算を必要とせずに、適性の基準となるブラジャーのサイズを示す「アンダーバストサイズ」と「カップサイズ」の２つの要素を簡単に求めることができる。この場合の適性サイズは「Ｂ６５」ということになる。【００３８】  図７は、請求項３の構成を示すものである。【００３９】  図７が示すように、メジャー本体の一端３を、カップスケール２に設けたスリット７よりも大きくすることで、メジャー本体とカップスケールが抜けたり分離しないようすることが可能である。この場合は、円形を図示したが、形状はこれに限るものではなく、大きさや厚み、折り加工など、要はスリットを通り抜けないものであれば良い。【００４０】  本考案におけるカップスケール２のサイズを、さらに長手方向に延長し、カップサイズ毎の区分をＪＩＳ規格に則り増やすことによって、カップサイズＧ、カップサイズＨ、カップサイズＩ等への対応も可能である。
【図面の簡単な説明】
【００４１】
【図１】  本考案の請求項１〜３の実施の形態を示す、ブラジャーサイズ測定用メジャーの破断状態の正面図である
【図２】  メジャー本体上の、目盛り部とアンダーバストサイズ毎の区分表示部を示す破断状態の正面図である。
【図３】  カップスケールを示す正面図である
【図４】  メジャー本体とカップスケールの一体化を示す構成の破断状態の上面図である。
【図５】  アンダーバスト周径実測時の状態を示す破断状態の作用図である。
【図６】  トップバスト周径実測時の状態を示す破断状態の作用図である。
【図７】  メジャー本体とカップスケールが抜けたり分離しないための構成の一例を示す破断状態の正面図である。
【符号の説明】
【００４２】  １    メジャー本体
２    カップスケール
３    分離・脱落防止形状部
４    目盛り
５    アンダーバストサイズ選定用目盛り（区分）
６    カップサイズ選定用目盛り（区分）
７    メジャー本体貫通用スリット
８    アンダーバスト測定部分の図示
９    カップサイズ測定部分の図示
【図１】
0003116577.tif 000003
【図２】
0003116577.tif 000004
【図３】
0003116577.tif 000005
【図４】
0003116577.tif 000006
【図５】
0003116577.tif 000007
【図６】
0003116577.tif 000008
【図７】
0003116577.tif 000009
【手続補正書】
【提出日】平成17年8月19日(2005.8.19)
【手続補正１】
【補正対象書類名】実用新案登録請求の範囲
【補正対象項目名】請求項３
【補正方法】変更
【補正の内容】
【請求項３】
前記のメジャー本体において、カップスケールが抜けたり分離しないよう、一端の形状を設計した請求項２に記載のメジャー。